(57)【要約】      （修正有）【課題】部品種類を少なくできて生産効率を向上でき、生産コストや修理コストも低減できる香箱と、この香箱を備える時計ムーブメントと、時計ムーブメントを備える時計とを提供する。【解決手段】第１の香箱１０は、香箱真１３と、香箱車１２と、香箱蓋１１と、香箱ブッシュ１４を備え、香箱真１３の軸方向の一端側には香箱真かな１５を取り付け可能な穴１３１が開口され、他端側には角穴車を取り付ける穴１３２が開口され、第１の香箱ブッシュ１４は、香箱車１２の内周面に固定され、香箱真１３を案内する案内部１４１と、香箱車１２の表面側に露出する露出部と１４２を備える。【選択図】図１
2019105606.tif 000002
【特許請求の範囲】
【請求項１】
香箱真と、香箱車と、香箱蓋と、香箱ブッシュとを備え、
前記香箱真の軸方向の一端側には香箱真かなを取り付け可能な穴が開口され、他端側には角穴車を取り付ける穴が開口され、
前記香箱ブッシュは、前記香箱車の内周面に固定され、前記香箱真を案内する案内部と、前記香箱車の表面側に露出する露出部とを備える
ことを特徴とする香箱。
【請求項２】
請求項１に記載の香箱において、
前記香箱ブッシュの前記露出部には、香箱かなとして用いられる歯車が形成され、
前記香箱真には香箱真かなが取り付けられている
ことを特徴とする香箱。
【請求項３】
請求項１に記載の香箱において、
前記香箱ブッシュの前記露出部には、歯車が形成されておらず、
前記香箱真には香箱真かなは取り付けられていない
ことを特徴とする香箱。
【請求項４】
請求項１から請求項３のいずれか一項に記載の香箱において、
前記香箱ブッシュの前記案内部の内周面には、ＤＬＣ膜が積層されている
ことを特徴とする香箱。
【請求項５】
請求項１から請求項４のいずれか一項に記載の香箱と、前記香箱の前記香箱車で駆動される輪列とを備えることを特徴とする時計ムーブメント。
【請求項６】
請求項５に記載の時計ムーブメントと、前記時計ムーブメントで駆動される指針とを備えることを特徴とする時計。
【発明の詳細な説明】
【技術分野】
【０００１】
本発明は、香箱と、香箱を備える時計ムーブメントと、時計ムーブメントを備える時計とに関する。
【背景技術】
【０００２】
ぜんまいの機械エネルギーを利用して指針を運針させる機械式時計では、ぜんまいの巻上げ量の残量を表示するパワーリザーブ表示機構を備える時計（例えば、特許文献１参照）と、パワーリザーブ表示機構を備えない時計とがある。
【０００３】
パワーリザーブ表示機構を備える時計に用いられる香箱には、パワーリザーブ表示機構の輪列を動かすために、香箱真かなと、香箱かなとの２つの歯車を追加する必要がある。一方、パワーリザーブ表示機構を備えない時計では、パワーリザーブ表示機構の輪列も存在しないため、図８に示すような香箱１０Ｃを用いている。香箱１０Ｃは、香箱蓋１１Ｃ、香箱車１２Ｃ、香箱真１３Ｃで構成され、香箱車１２Ｃ内にぜんまい１９が組み込まれている。香箱車１２Ｃは、香箱真１３Ｃを案内し、香箱かなは設けられていない。香箱真１３Ｃは、角穴車を取り付けるネジ穴は形成されているが、香箱真かなを取り付けるネジ穴は設けられていない。
【先行技術文献】
【特許文献】
【０００４】
【特許文献１】特開２０１７−２６４６０号公報
【発明の概要】
【発明が解決しようとする課題】
【０００５】
前記２種類の香箱は、香箱真かな、および、香箱かなの有無によって、香箱車や香箱真の形状や構成が異なる。このため、２種類の香箱を用意する場合、香箱車や香箱真もそれぞれ別部品を用意する必要があり、部品種類が増えて生産効率が低下し、生産コストも増加するという課題がある。
また、香箱車１２Ｃは、ぜんまい１９によって香箱真１３Ｃに対して回転する際に、香箱真１３Ｃに押し付けられ、香箱車１２Ｃが摩耗する場合がある。この場合、香箱車１２Ｃを交換する必要があり、香箱車１２Ｃは形状が複雑でコストも高いため、修理コストが高くなるという課題がある。
【０００６】
本発明の目的は、部品種類を少なくできて生産効率を向上でき、生産コストや修理コストも低減できる香箱と、この香箱を備える時計ムーブメントと、この時計ムーブメントを備える時計とを提供することにある。
【課題を解決するための手段】
【０００７】
本発明の香箱は、香箱真と、香箱車と、香箱蓋と、香箱ブッシュとを備え、前記香箱真の軸方向の一端側には香箱真かなを取り付け可能な穴が開口され、他端側には角穴車を取り付ける穴が開口され、前記香箱ブッシュは、前記香箱車の内周面に固定され、前記香箱真を案内する案内部と、前記香箱車の表面側に露出する露出部とを備えることを特徴とする。
【０００８】
本発明によれば、香箱真に香箱真かなを取り付け可能な穴を形成し、香箱車の内周面に固定される香箱ブッシュを設けたので、香箱真かなの取り付けの有無を選択し、香箱ブッシュとして露出部に歯車が形成された香箱かな用の香箱ブッシュと、露出部に歯車が形成されていない香箱ブッシュとを選択することで、パワーリザーブ表示機構を備える時計用の香箱と、パワーリザーブ表示機構を備えない時計用の香箱とを生産できる。
すなわち、これらの２種類の香箱において、香箱真、香箱車、香箱蓋は共通した部品を用いることができるので、２種類の香箱車および香箱真を用意する従来の香箱に比べて、部品種類を少なくでき、生産効率を向上でき、生産コストも低減できる。
また、香箱真と摺動するのは香箱ブッシュの案内部であり、香箱車は香箱真に接触しないので、香箱車の摩耗を防止できる。香箱ブッシュは、香箱車に比べて安価なため、香箱ブッシュが摩耗した場合でも修理コストを低減できる。
さらに、香箱車と香箱ブッシュとを別体で構成したので、ぜんまいの力によって香箱真に押し付けられるために力が加わる香箱ブッシュと、ぜんまいを収納可能な形状とする必要があり、さらに歯車の加工が必要なために複雑な形状となる香箱車とを別部品で構成できる。このため、香箱車と比較すると形状が単純な香箱ブッシュと、香箱ブッシュに比べて形状が複雑な香箱車とを別部品とすることで、それぞれの用途や加工性に合わせて材料も選択できる。例えば、香箱ブッシュは、香箱真と摺動するため、摩擦抵抗が小さい材料を用いればよく、香箱車は、形状が複雑なため、加工性が良い材料を用いればよい。このため、香箱を構成する各部品を適切な材料で製造できる。
【０００９】
本発明の香箱において、前記香箱ブッシュの前記露出部には、香箱かなとして用いられる歯車が形成され、前記香箱真には香箱真かなが取り付けられていることを特徴とする。
【００１０】
本発明の香箱によれば、香箱真、香箱車、香箱蓋は、パワーリザーブ表示機構を備えない時計用の香箱と共通の部品を用い、歯車が形成された香箱ブッシュと、香箱真かなとを取り付けることで、パワーリザーブ表示機構を備える時計用の香箱を生産できる。このため、パワーリザーブ表示機構を備える時計用の香箱の生産効率を向上でき、生産コストも低減できる。
【００１１】
本発明の香箱において、前記香箱ブッシュの前記露出部には、歯車が形成されておらず、前記香箱真には香箱真かなは取り付けられていないことを特徴とする。
【００１２】
本発明の香箱によれば、香箱真、香箱車、香箱蓋は、パワーリザーブ表示機構を備える時計用の香箱と共通の部品を用い、歯車が形成されていない香箱ブッシュを取り付けることで、パワーリザーブ表示機構を備えない時計用の香箱を生産できる。このため、パワーリザーブ表示機構を備えない時計用の香箱の生産効率を向上でき、生産コストも低減できる。
【００１３】
本発明の香箱において、前記香箱ブッシュの前記案内部の内周面には、ＤＬＣ膜が積層されていることが好ましい。
【００１４】
香箱ブッシュは、香箱車の内周面に配置されて香箱真を回転可能に案内する案内部を備えており、この案内部の内周面にＤＬＣ膜が積層されていれば、香箱真との摩擦抵抗を低減でき、ぜんまいの持続時間も向上できる。
さらに、香箱ブッシュは、香箱車と別体であるため、ＤＬＣ膜の積層処理も香箱ブッシュのみに行えばよい。香箱ブッシュは、形状が単純であるため、ＤＬＣ膜の積層処理も容易に行うことができる。また、香箱ブッシュは、香箱車に比べて小さいため、一度に処理できる数も多くでき、表面処理の作業効率も向上できる。
【００１５】
本発明の時計ムーブメントは、前述した香箱と、前記香箱の前記香箱車で駆動される輪列とを備えることを特徴とする。
【００１６】
本発明の時計ムーブメントによれば、パワーリザーブ表示機構を備える時計ムーブメントおよびパワーリザーブ表示機構を備えない時計ムーブメントにおいて、香箱の部品共通化が図れるため、生産コストを低減できる。
【００１７】
本発明の時計は、前記時計ムーブメントと、前記時計ムーブメントで駆動される指針とを備えることを特徴とする。
【００１８】
本発明の時計によれば、パワーリザーブ表示機構を備える時計ムーブメントおよびパワーリザーブ表示機構を備えない時計ムーブメントにおいて、香箱の部品共通化が図れるため、生産コストを低減できる。
【図面の簡単な説明】
【００１９】
【図１】本発明の実施形態の第１の香箱を示す断面図。
【図２】前記実施形態の第２の香箱を示す断面図。
【図３】前記実施形態のパワーリザーブ表示機構付き時計を示す正面図。
【図４】前記実施形態の時計ムーブメントを示す図。
【図５】前記実施形態のパワーリザーブ表示輪列の要部を示す図。
【図６】前記実施形態のパワーリザーブ表示輪列の要部を示す図。
【図７】前記実施形態のパワーリザーブ表示輪列の噛み合い状態を示す平面図。
【図８】従来の香箱を示す断面図。
【発明を実施するための形態】
【００２０】
以下、本発明の実施形態を図面に基づいて説明する。
［香箱］
本実施形態では、図１に示すパワーリザーブ表示機構付き時計用の第１の香箱１０と、図２に示すパワーリザーブ表示機構を備えない時計用の第２の香箱１０Ａとがある。なお、図１、２は、香箱１０、１０Ａの断面図であるが、図を見やすくするためにハッチングを省略している。
第１の香箱１０は、香箱蓋１１と、香箱車１２と、香箱真１３と、香箱ブッシュ１４とを備えている。香箱車１２内には、ぜんまい１９が組み込まれている。
香箱真１３は、軸方向の一端側に開口するネジ穴１３１と、他端側に開口するネジ穴１３２とを備える。
【００２１】
香箱真１３の前記ネジ穴１３１には、香箱真かな１５が取り付けられている。香箱真１３の前記ネジ穴１３２には、図５に示すように、角穴ねじ１７によって角穴車１８が取り付けられる。なお、本実施形態では、香箱真１３にネジ穴１３１を形成していたが、単なる穴を形成し、香箱真かな１５を圧入や接着剤で固定してもよい。香箱真かな１５は、パワーリザーブ針５を駆動するものであり、大きなトルクが加わらないためである。
香箱車１２の内周面には、香箱ブッシュ１４が固定されている。香箱ブッシュ１４は、香箱車１２の内周面に圧入などで固定され、香箱真１３を回転可能に案内する案内部１４１と、香箱車１２の表面側に露出する露出部１４２とを備える。露出部１４２には歯車１４３が形成されており、香箱ブッシュ１４は、香箱車１２と一体に回転する香箱かなとして用いられる。
【００２２】
第２の香箱１０Ａは、第１の香箱１０と共通の香箱蓋１１と、香箱車１２と、香箱真１３と、第１の香箱１０とは異なる第２の香箱ブッシュ１４Ａとを備えている。香箱車１２内には、ぜんまい１９が組み込まれている。
香箱真１３の前記ネジ穴１３１には、香箱真かな１５は取り付けられていない。香箱真１３の前記ネジ穴１３２には、後述するように、角穴ねじ１７によって角穴車１８が取り付けられる。
香箱車１２の内周面には、香箱ブッシュ１４Ａが固定されている。香箱ブッシュ１４Ａは、香箱車１２の内周面に圧入などで固定され、香箱真１３を回転可能に案内する案内部１４１Ａと、香箱車１２の表面側に露出する露出部１４２Ａとを備える。露出部１４２Ａには歯車は形成されておらず、その表面はテーパー面１４４とされている。これにより、第２の香箱１０Ａの香箱車１２および香箱ブッシュ１４Ａは、図８に示す従来の香箱１０Ｃの香箱車１２Ｃと類似する形状となり、香箱１０Ｃと置き換えて利用できる。
【００２３】
なお、各香箱ブッシュ１４、１４Ａは、ＤＬＣ（Diamond Like Carbon）膜が積層されている。これにより、香箱真１３との摺動面の抵抗を低減している。
【００２４】
［時計ムーブメントおよび時計］
次に、第１の香箱１０を備える時計ムーブメント１００および時計１について、図３〜図７を参照して説明する。
図３は、パワーリザーブ表示機構付き時計１（以下、時計１と称す）の正面図であり、図２は、時計ムーブメント１００を裏蓋側から見た図である。
【００２５】
［時計の表示機構］
時計１は、ユーザーの手首に装着される腕時計であり、外装ケース２と、外装ケース２内に設けられた文字板３と、時針４Ａと、分針４Ｂと、秒針４Ｃと、パワーリザーブ針５と、日車６と、外装ケース２の側面に設けられたりゅうず７とを備えている。文字板３には、パワーリザーブ針５用の目盛部３Ａが設けられている。
【００２６】
［時計ムーブメント］
時計１は、図４に示すような外装ケース２内に収容された時計ムーブメント１００を備えている。時計ムーブメント１００は、地板１１０、一番受け１２０、テンプ受け１３０を備えている。地板１１０と一番受け１２０との間には、ぜんまい１９が収納された香箱車（一番車）１２と、二番車（図示略）と、三番車８３、四番車８４、ガンギ車（五番車）８５が配置されている。また、地板１１０とテンプ受け１３０との間には、アンクル８６、テンプ８７等が配置されている。このため、時計ムーブメント１００は、指針である時針４Ａ、分針４Ｂ、秒針４Ｃを駆動する。
また、時計ムーブメント１００には、ぜんまい１９を巻き上げる巻上げ機構９０として、巻真９１、つづみ車９２、きち車９３、丸穴車９４、第１中間車９５、第２中間車９６が設けられている。これにより、りゅうず７の回転操作による回転を、角穴車１８に伝達し、香箱真１３を回転して、ぜんまい１９を巻き上げることができる。これらは一般的な機械式ムーブメントと同じであるため、説明を省略する。
【００２７】
［パワーリザーブ表示機構］
時計１は、図５および図６に示すように、駆動源であるぜんまい１９の持続時間を示すパワーリザーブ表示機構２０を備える。パワーリザーブ表示機構２０は、パワーリザーブ表示輪列２１と、図１に示す文字板３上に配置された扇形の目盛部３Ａと、パワーリザーブ針５とを備える。目盛部３Ａには、持続時間を示す数字が印字されている。
【００２８】
パワーリザーブ表示輪列２１は、図５〜７に示すように、第一太陽車３０と、第二太陽車４０と、遊星キャリア５０と、遊星キャリア５０に搭載された遊星車６０と、中間車７０とを備える。第二太陽車４０および遊星キャリア５０は、遊星車６０を挟んで対向配置されている。
第一太陽車３０は、地板１１０などに回転自在に軸支された表示真３１と、表示真３１に固定された第一太陽歯車３２とを備える。表示真３１には、パワーリザーブ針５の回転軸５Ａが取り付けられ、第一太陽車３０の回動によりパワーリザーブ針５が連動して回動するように構成されている。
【００２９】
第二太陽車４０は、第二太陽歯車４１と、第二太陽歯車４１に固定された第二太陽かな４２とを備える。第二太陽かな４２は、表示真３１に回転自在に軸支され、これにより、第二太陽車４０は第一太陽車３０と同軸（同心）で回動自在に配置されている。第二太陽歯車４１は、香箱真かな１５に噛み合っている。
【００３０】
遊星キャリア５０は、地板１１０等に回転自在に軸支され、前記第一太陽車３０、第二太陽車４０と同軸（同心）とされている。遊星キャリア５０の外周には、遊星キャリア歯車５１が形成されている。また、遊星キャリア５０の回転軸に対して偏心した位置には、ピン状の回転軸５２が固定されている。
遊星車６０は、遊星歯車６１と、遊星歯車６１に一体に固定された遊星かな６２とを備え、遊星キャリア５０の回転軸５２に回動自在に軸支されている。
遊星歯車６１は、第二太陽かな４２に噛み合い、遊星かな６２は第一太陽歯車３２に噛み合っている。
【００３１】
中間車７０は、中間歯車７１と、中間歯車７１に一体に固定された中間かな７２とを備え、地板１１０などに回転自在に取り付けられている。
中間歯車７１は、香箱かなとして機能する香箱ブッシュ１４の歯車１４３に噛み合い、中間かな７２は遊星キャリア歯車５１に噛み合っている。
【００３２】
［パワーリザーブ表示輪列の動作］
このようなパワーリザーブ表示輪列２１において、ぜんまい１９の巻上げ時および巻戻し時の動作について説明する。
りゅうず７等によるぜんまい１９の巻上げ操作で角穴車１８が回転されると、香箱真１３が回転してぜんまい１９が巻き上げられる。また、香箱真１３の回転に伴い香箱真かな１５が回転し、そのトルク（駆動力）は第二太陽車４０、遊星車６０、第一太陽車３０に伝達される。ここで、ぜんまい１９の巻上げ時には香箱車１２は回転が遅くほぼ停止状態のため、中間車７０および遊星キャリア５０は停止状態とされ、遊星車６０はその場で回転（自転）して第一太陽車３０を回転させる。第一太陽車３０に伝達されたトルクは表示真３１から回転軸５Ａに伝達され、パワーリザーブ針５が回動する。
【００３３】
また、ぜんまい１９が巻戻る時には、角穴車１８および香箱真１３、香箱真かな１５が停止しているために、第二太陽車４０も停止している。そして、香箱車１２および香箱ブッシュ（香箱かな）１４が一体で回転されると、そのトルク（駆動力）は中間車７０から遊星キャリア５０、遊星車６０、第一太陽車３０に伝達される。この際、遊星車６０の遊星歯車６１が噛み合っている第二太陽かな４２が停止しているため、遊星車６０は第二太陽かな４２の回りを自転しながら公転する。これにより、遊星車６０に噛合している第一太陽歯車３２が、ぜんまい１９の巻上げ操作時とは逆方向に回転する。この第一太陽歯車３２に伝達されたトルクは、表示真３１から回転軸５Ａに伝達され、パワーリザーブ針５が巻上げ操作時とは逆方向に回動する。
このように、第１の香箱１０を用いれば、ぜんまい１９の巻上げ、巻戻しによって、パワーリザーブ表示機構２０を作動でき、パワーリザーブ針５でぜんまい１９の巻上げ量の残量を表示できる。
【００３４】
一方、図示は省略するが、パワーリザーブ表示機構を備えない時計では、時計ムーブメント１００に、パワーリザーブ表示輪列２１も組み込まれていないため、第２の香箱１０Ａを用いれば良い。
【００３５】
［実施形態の作用効果］
本実施形態では、第１の香箱１０および第２の香箱１０Ａにおいて、香箱蓋１１、香箱車１２、香箱真１３を共通部品とし、香箱ブッシュ１４および香箱ブッシュ１４Ａを選択して取り付け、香箱真かな１５の取付けの有無を選択することで、２種類の香箱１０，１０Ａを生産できる。このため、２種類の香箱１０、１０Ａを生産する場合に、２種類の香箱車および香箱真を用意する従来の香箱に比べて、部品種類を少なくでき、生産効率を向上でき、生産コストも低減できる。
特に、香箱真１３や香箱車１２は、形状が複雑で加工コストも高いため、部品種類が増えると、コストも大幅に向上し、生産効率も低下するが、本実施形態によれば、香箱真１３や香箱車１２を共通化したので、生産効率を向上でき、生産コストも低減できる。
さらに、香箱車１２と香箱ブッシュ１４、１４Ａとを別体で構成したので、形状は単純であるが、香箱真１３に押し付けられて力が加わる香箱ブッシュ１４、１４Ａと、複雑な形状となる香箱車１２とを別材料で構成できる。このため、香箱ブッシュ１４、１４Ａと、香箱車１２とは、それぞれの用途や加工性に合わせて材料も選択できる。したがって、香箱ブッシュ１４、１４Ａは、摩擦抵抗が小さい材料を用いて製造でき、香箱真１３との摩擦も低減できる。香箱車１２は、加工性が良い材料を用いて製造でき、歯車部分やぜんまい１９の収納部分を精度良く加工することができる。
【００３６】
香箱真１３に対して香箱車１２が回転する際に、従来では香箱車１２Ｃが香箱真１３Ｃと摺動しているため、香箱車１２Ｃが摩耗した場合には香箱車１２Ｃを交換しなければならず、修理コストも高くなる。
これに対し、本実施形態では、香箱ブッシュ１４、１４Ａが香箱真１３と摺動するため、摩耗した場合は香箱ブッシュ１４、１４Ａのみを交換すればよく、香箱車１２を交換する必要が無いため、修理コストを低減できる。
さらに、香箱ブッシュ１４、１４Ａが香箱真１３と摺動するため、香箱ブッシュ１４、１４Ａのみを摩擦抵抗が小さい材料で製造したり、摩擦抵抗が小さくなる表面処理を施せばよい。前記実施形態では、香箱ブッシュ１４、１４ＡにＤＬＣ膜を積層したので、摩擦抵抗を低減でき、ぜんまい１９の駆動力を効率良く伝達できて持続時間も延ばすことができる。また、香箱ブッシュ１４、１４Ａに表面処理等を行えばよく、香箱車１２に表面処理を行う必要が無いため、従来の香箱車１２Ｃに表面処理を行う場合に比べてコストを低減できる。特に、香箱ブッシュ１４、１４Ａは、形状が単純であるため、ＤＬＣ膜の積層処理も容易に行うことができる。また、香箱ブッシュ１４、１４Ａは、従来の香箱車１２Ｃに比べてサイズも小さいため、一度に処理できる数も多くでき、表面処理の作業効率も向上できる。
【００３７】
第２の香箱１０Ａには、歯車が形成されていない香箱ブッシュ１４Ａを用いているので、第２の香箱１０Ａを裏蓋側から視認できるように構成した場合などに、香箱ブッシュ１４Ａによってデザイン性を向上することもできる。
【００３８】
［他の実施形態］
なお、本発明は前述の実施形態に限定されるものではなく、本発明の目的を達成できる範囲での変形、改良等は本発明に含まれるものである。
例えば、前記実施形態では、２種類の香箱ブッシュ１４、１４Ａを選択して組み込んでいたが、１種類の香箱ブッシュ１４のみを用意し、第２の香箱１０Ａにおいても、香箱ブッシュ１４を組み込んで構成してもよい。この場合、パワーリザーブ表示輪列２１が無いため、香箱ブッシュ１４の歯車１４３に噛み合う歯車もないが、第２の香箱１０Ａの機能としては問題はない。ただし、噛み合う歯車が存在しない場合、時計ムーブメント１００を組み立てたり、修理する作業者が混乱する可能性もあるため、前記実施形態のように歯車が形成されていない香箱ブッシュ１４Ａを用意して選択することが好ましい。
【００３９】
香箱ブッシュ１４、１４ＡにＤＬＣ膜を積層する場合、香箱真１３と摺動する案内部１４１の内周面のみにＤＬＣ膜を積層してもよいし、香箱ブッシュ１４、１４Ａの全体にＤＬＣ膜を積層してもよい。さらに、香箱ブッシュ１４、１４Ａ自体を香箱真１３との摩擦抵抗が低い材料で構成してもよく、この場合にはＤＬＣ膜などの表面処理を不要にできる。
【符号の説明】
【００４０】
１…パワーリザーブ表示機構付き時計、２…外装ケース、３…文字板、３Ａ…目盛部、４Ａ…時針、４Ｂ…分針、４Ｃ…秒針、５…パワーリザーブ針、１０…第１の香箱、１０Ａ…第２の香箱、１１…香箱蓋、１２…香箱車、１３…香箱真、１４…第１の香箱ブッシュ、１４Ａ…第２の香箱ブッシュ、１５…香箱真かな、１９…ぜんまい、２０…パワーリザーブ表示機構、２１…パワーリザーブ表示輪列、１００…時計ムーブメント、１３１、１３２…ネジ穴、１４１、１４１Ａ…案内部、１４２、１４２Ａ…露出部、１４３…歯車、１４４…テーパー面。
【図１】
2019105606.tif 000003
【図２】
2019105606.tif 000004
【図３】
2019105606.tif 000005
【図４】
2019105606.tif 000006
【図５】
2019105606.tif 000007
【図６】
2019105606.tif 000008
【図７】
2019105606.tif 000009
【図８】
2019105606.tif 000010